(57)【特許請求の範囲】
【請求項１】
各々ロック装置及び無線信号を発生するロック送信装置を備えた複数のセンサ装置と、複数のセンサ装置の各々が発生する無線信号を受信する受信制御回路を有する警報制御装置とを備えたロック操作検知装置において、
各センサ装置のロック送信装置は、コード信号を記憶する記憶手段と、送信時間間隔を決定するタイマ手段とを備え、
ロック送信装置は、タイマ手段によって決定された時間間隔でコード信号を含みかつ同一の周波数で発振される無線信号を警報制御装置に送出し、
タイマ手段によって決定される時間間隔及びコード信号は、センサ装置毎に異なり、
各ロック装置は、フック部と、フック部と一体に回転するレバー部と、レバー部に埋設された磁石とを備え、
各センサ装置は、レバー部が施錠位置に回転されたとき、磁石により作動されかつロック送信装置に接続されたリードスイッチと、振動又は衝撃を検出しかつロック送信装置に接続される衝撃センサとを備え、
リードスイッチが作動されかつロック装置に異常が発生して、衝撃センサが振動又は衝撃を検出したときに、ロック送信装置は、リードスイッチの出力と衝撃センサの出力とコード信号とを含む無線信号を送信し、
受信制御回路は、リードスイッチの出力と衝撃センサの出力とコード信号とを含む無線信号をセンサ装置から受信して、警報信号を発生し、
警報制御装置は、玄関錠の操作により、センサ装置からリードスイッチの出力のみ無線信号を介して送信し、衝撃センサの出力を伝達しない非セット状態と、衝撃センサ及びリードスイッチの出力がいずれも警報制御装置に送信されるセット状態との間で切り換えられることを特徴とするロック操作検知装置。
【請求項２】
各センサ装置のロック送信装置は、衝撃センサ及びリードスイッチが接続された送信制御回路と、アンテナを備えかつ送信制御回路の出力により警報制御装置に対して無線信号を発生する送信駆動回路とを備えた請求項１に記載のロック操作検知装置。
【請求項３】
警報制御装置は、アンテナを備えかつセンサ装置からの無線信号を受信する受信駆動回路を備え、受信制御回路は、受信駆動回路の出力を受信してロック装置の状態を表示する表示手段に警報信号を付与する請求項１に記載のロック操作検知装置。
【請求項４】
警報制御装置は、玄関錠の施錠操作でセット状態になる請求項１に記載のロック操作検知装置。
【発明の詳細な説明】
【０００１】
【発明の属する技術分野】
この発明は、検知装置、特に窓等の開閉部のロック装置が不正に操作されたことを検出するロック操作検知装置に関連する。
【０００２】
【従来の技術】
例えば、特開昭５８−１３１２７５号公報に示されるように、開閉部に設けられたロック装置の操作状態を検出しかつワイヤレスシステムにより遠隔で確認できる戸締り確認装置は公知である。この戸締り確認装置は、屋内の各扉体のロック装置のクリセントの開閉状態に連動して作動するスイッチと、スイッチの出力により各扉体にチャンネルをそれぞれ割り当てられてクリセントの開閉状態を送信する無線発信器と、各発信器からの送信信号を一括受信してクリセントの開閉によるロック状態を監視表示する受信器とを備えている。この確認装置では、窓のクリセントに連動するスイッチによりクリセントと一体に又は隣接して配置された多チャンネル無線発信器を動作させ、受信器に各受信器からの信号を受信して集中的に窓などの扉体の施錠状態を確認することができる。
【０００３】
また、特開平４−２９６９９８号公報には、複数の窓の施錠又は解錠に対応して窓の開閉をワイヤレスで集中的に検知表示できるワイヤレス窓開閉検知システムが開示されている。このワイヤレス窓開閉検知システムは、複数の異なる周波数の信号を生成してこれを所定の周期で順次送信する信号発生手段と、信号の送信及び受信を行うループアンテナと、複数の窓の枠にそれぞれ配設されそれぞれの窓の施錠によって窓毎に設定される固有の周波数で信号発生手段から送信信号に対応して反射信号を発生するＱの大きい共振子を備えた複数の返信手段と、返信手段からの返信信号を検知して反射信号の周波数により発信した窓の位置を表示する施錠検出表示手段と、所定の周期に合わせて各周波数毎に信号発生手段と施錠検出表示手段とを切り換えてループアンテナに接続し送信回路と受信回路とを交互に形成する切換スイッチとを備えている。このワイヤレス窓開閉検知システムは窓が解錠された時に解錠検知表示を行う。
【０００４】
【発明が解決しようとする課題】
特開平４−２９６９９８号公報に示されるワイヤレス窓開閉検知システムでは、複数のクレセント錠の開閉を検出する複数の信号発生手段は複数の異なる周波数の信号を生成してこれを所定の周期で順次送信するため、使用する信号の異なる周波数を明確に区別しなければならず、周波数の設定及び調整が複雑かつ困難となる欠点がある。また、異なる周波数帯域の信号を使用しても、受信装置が必ずしも所定の周波数帯域の信号を受信できないため、ワイヤレス窓開閉検知システムを円滑に作動することができなかった。
【０００５】
そこで、この発明は、各センサ装置からの同一周波数の無線信号を確実に受信できるロック操作検知装置を提供することを目的とする。
【０００６】
【課題を達成するための手段】
この発明によるロック操作検知装置は、各々ロック装置(10)及び無線信号を発生するロック送信装置(11)を備えた複数のセンサ装置(1)と、複数のセンサ装置(1)の各々が発生する無線信号を受信する受信制御回路(37)を有する警報制御装置(2)とを備えている。各センサ装置(1)のロック送信装置(11)は、コード信号を記憶する記憶手段と、送信時間間隔を決定するタイマ手段とを備え、ロック送信装置(11)は、タイマ手段によって決定された時間間隔でコード信号を含みかつ同一の周波数で発振される無線信号を警報制御装置(2)に送出する。タイマ手段によって決定される時間間隔及びコード信号は、センサ装置(1)毎に異なる。各ロック装置(10)は、フック部(13)と、フック部(13)と一体に回転するレバー部(14)と、レバー部(14)に埋設された磁石(15)とを備えている。各センサ装置(1)は、レバー部(14)が施錠位置に回転されたとき、磁石(15)により作動されかつロック送信装置(11)に接続されたリードスイッチ(18)と、振動又は衝撃を検出しかつロック送信装置(11)に接続される衝撃センサ(17)とを備えている。リードスイッチ(18)が作動されかつロック装置(10)に異常が発生して、衝撃センサ(17)が振動又は衝撃を検出したときに、ロック送信装置(11)は、リードスイッチ(18)の出力と衝撃センサ(17)の出力とコード信号とを含む無線信号を送信する。受信制御回路(37)は、リードスイッチ(18)の出力と衝撃センサ(17)の出力とコード信号とを含む無線信号をセンサ装置から受信して、警報信号を発生する。警報制御装置(2)は、玄関錠の操作により、センサ装置(1)からリードスイッチ(18)の出力のみ無線信号を介して送信し、衝撃センサ(17)の出力を伝達しない非セット状態と、衝撃センサ(17)及びリードスイッチ(18)の出力がいずれも警報制御装置(2)に送信されるセット状態との間で切り換えられる。
【０００７】
各センサ装置(1)のロック送信装置(11)は、衝撃センサ(17)及びリードスイッチ(18)が接続された送信制御回路(22)と、アンテナ(20)を備えかつ送信制御回路(22)の出力により警報制御装置(2)に対して無線信号を発生する送信駆動回路(19)とを備えている。警報制御装置(2)は、アンテナ(20)を備えかつセンサ装置(1)からの無線信号を受信する受信駆動回路(36)を備え、受信制御回路(37)は、受信駆動回路(36)の出力を受信してロック装置(10)の状態を表示する表示手段に警報信号を付与する。警報制御装置(2)は、玄関錠の施錠操作でセット状態になる。
【０００８】
複数のセンサ装置(1)の各々は、異なる時間間隔で固有コードを含む同一周波数の無線信号を送信し、警報制御装置(2)は、各センサ装置(1)からの無線信号を異なるタイミングで受信する。
【０００９】
【発明の実施の形態】
以下、この発明によるロック操作検知装置の実施の形態を図１〜図９について説明する。
【００１０】
このロック操作検知装置は、図１に示すように、窓又はドア等の開閉部に隣接して建物内に固定されるセンサ装置１と、センサ装置１に対し無線信号により通信を行う警報制御装置２とを備えている。警報制御装置２は、子機として３０台設置されたセンサ装置１の親機として機能する。図２及び図３に示すように、センサ装置１はロック装置としてのクレセント錠１０と、クレセント錠１０に隣接して配置されたロック送信装置１１とを備えている。クレセント錠１０は中心軸１２を中心に回転するフック部１３と、フック部１３と一体に回転するレバー部１４とを有する。ロック送信装置１１は、プリント基板３３に支持された電池１６と、プリント基板３３に支持されたフィルム状の衝撃センサ１７と、プリント基板３３に取り付けられたリードスイッチ１８と、ＲＦ（無線周波数）モジュールとしてプリント基板３３に取り付けられた送信駆動回路１９と、アンテナ２０と、電池１６、衝撃センサ１７、リードスイッチ１８、送信駆動回路１９及びアンテナ２０を包囲する樹脂製のケース２１とを備えている。衝撃センサ１７は電極１７ａと、電極１７ａから一定間隔離間して配置された導電性のフィルム１７ｂとを有する。フィルム１７ｂは振動又は衝撃が加えられたときに電圧を発生するカイナー（Ｋｙｎａｒ−商標名）圧電フィルムが使用される。リードスイッチ１８は、図２及び図３の点線で示す施錠位置にレバー部１４が回転されたとき、レバー部１４の端部に埋設された磁石１５と対向する位置に配置され、リードスイッチ１８がオンとなる。クレセント錠１０のレバー部１４が図２及び図３の実線で示す解錠位置に回転されたとき、リードスイッチ１８はオフとなり、クレセント錠１０の解錠を検出することができる。また、クレセント錠１０に衝撃が加えられたとき、フィルム１７ｂが電圧を発生し、衝撃を検出することができる。
【００１１】
図６に示すように、電池１６、衝撃センサ１７、リードスイッチ１８及びセットスイッチ２７は送信制御回路２２に接続される。衝撃センサ１７及びリードスイッチ１８はセンサ素子を構成する。また、センサ装置１の固有のコード信号を与える設定スイッチ２３が送信制御回路２２に接続される。設定スイッチ２３はディップスイッチ等の小型スイッチにより構成され、コード信号に必要な桁番号を付与する。送信制御回路２２はアンテナ２０を有する送信駆動回路１９に接続される。また、電池１６に接続されたエミッタを有するトランジスタ２４のコレクタは送信駆動回路１９に接続され、トランジスタ２４のベースは抵抗２５を介して送信制御回路２２に接続される。また、トランジスタ２４のコレクタは定電圧回路２６を介して送信制御回路２２に接続される。図示しないが、プリント基板３３に設けられたブザー及びＬＥＤ等の発光素子は送信制御回路２２に接続され、ブザーと発光素子は送信駆動回路１９から無線信号が発生するときに作動され、聴覚信号又は視覚信号を与える。また、送信制御回路２２内には送信時の時間間隔を決定するタイマ手段が設けられる。このタイマ手段は発振回路と、発振回路の出力を分周する分周回路とを含み、プログラム制御される分周回路によってセンサ装置１毎に異なる時間間隔を付与する。このため、３０台のセンサ装置１から警報制御装置２に対してそれぞれ異なる時間間隔でコード信号を含む無線信号を送出するため、警報制御装置２は各センサ装置１からの無線信号を確実に受信することができる。この無線信号のパルス幅は約０.５秒でセンサ装置１では互いに少なくとも０.５秒間の時差が設けられる。リードスイッチ１８及び衝撃センサ１７の出力は送信制御回路２２を通じて送信駆動回路１９に送出され、送信駆動回路１９はアンテナ２０を通じてそのセンサ装置１を表すコード信号を含む無線信号を発生する。送信制御回路２２内に設けられたタイマ手段により一定の時間間隔で送信駆動回路１９から無線信号を発生するが、無線信号を発生する時間間隔は他のセンサ装置の時間間隔と相違する。
【００１２】
図４及び図５に示すように、警報制御装置２は開閉部に対応して取り付けられた複数のセンサ装置１に対応して設けられた３０個のＬＥＤ等の発光素子３０と、手動セット／リセットボタン３２と、アラーム３４と、アンテナ３５とを有する。図７に示すように、警報制御装置２は、ＲＦモジュールとしてアンテナ３５を備えた受信駆動回路３６と、受信駆動回路３６に接続された受信制御回路３７とを備えている。受信制御回路３７は発光素子３０と、手動セット／リセットボタン３２と、アラーム３４と、電話回線等の外部通報手段３８とに接続される。警報制御装置２は玄関錠の施錠操作でセット状態になる。
【００１３】
上記の構成において、図８に示す動作シーケンスに従ってセンサ装置１が作動される。
【００１４】
ステップ６０から６１に進み、センサ装置１の送信制御回路２２はクレセント錠１０が閉鎖状態から開放状態に切り換えられたか否か判断する。クレセント錠１０が開放されリードスイッチ１８がオンとなったとき、送信制御回路２２は設定スイッチ２３から固有コードを読み取り（ステップ６２）、電池１６の寿命を検知する（ステップ６３）。その後、送信制御回路２２は固有コードと解錠データとを含む信号を送信駆動回路１９に送り、アンテナ２０から無線信号を警報制御装置２へ送出する（ステップ６４）。また、ステップ６５では、センサ装置１に対応したタイマ手段を作動して、固有の時間間隔で警報制御装置２に無線信号を送出する。ステップ６１においてクレセント錠１０が閉鎖状態のとき、ステップ６７に進み、送信制御回路２２はクレセント錠１０が閉鎖されているか否か判断する。ステップ６７においてクレセント錠１０が開放されるとステップ６１に戻り、閉鎖されるとステップ６８に進む。ステップ６８ではクレセント錠１０が閉鎖された状態で、衝撃センサ１７がオンとなると、送信制御回路２２が衝撃センサ１７の出力を受信し、ステップ６２に進む。その後、ステップ６２〜６６が反復される。ステップ６８において送信制御回路２２が衝撃センサ１７の出力を受信しないと、ステップ６９に進み、再びクレセント錠１０が閉鎖されたか否か判断する。ステップ６９においてクレセント錠１０が閉鎖されると、ステップ６２に進み、開放されるとステップ６１に進む。
【００１５】
図９は警報制御回路２の動作シーケンスを示すフローチャートである。スタートのステップ７０から７１に進み、警報制御装置２の受信制御回路３７はセット状態か否か判断する。警報制御装置２は玄関錠の施錠操作で非セット状態からセット状態になる。警報制御装置２の非セット状態のとき、衝撃センサ１７の出力は警報制御装置２に伝達されず、リードスイッチ１８の作動のみ警報制御装置２に無線信号を介してセンサ装置１から送信される。警報制御装置２のセット状態のとき、衝撃センサ１７及びリードスイッチ１８の作動がいずれも警報制御装置２に送信される。警報制御装置２のセット状態のときに、ステップ７２に進み、センサ装置１の無線信号を受信してクレセント錠１０が開放されているか否か判断する。ステップ７２においてクレセント錠１０が開放されていると、レバー部１４の端部に埋設された磁石１５によりリードスイッチ１８がオンとなり、送信制御回路２２はリードスイッチ１８の検出信号及び固有コードを送信駆動回路１９からアンテナ２０を介して電波として送出する。このため、警報制御回路２の受信駆動回路３６はアンテナ３５を介してコードを含む無線信号を受信し、受信制御回路３７に受信した信号を送る。このため、受信制御回路３７は発光素子３０を点灯してクレセント錠１０の開放を表示し（ステップ７３）、アラーム３４を作動し（ステップ７４）、外部通報手段３８を作動する（ステップ７５）。その後、受信制御回路３７は手動セット／リセットボタン３２が操作されたか否か判断し（ステップ７６）、手動セット／リセットボタン３２が操作されると、アラーム３４の作動及び外部通報手段３８の作動を停止する（ステップ７８）。ステップ７６において、手動セット／リセットボタン３２が操作されないと、ステップ７７においてセンサ装置１から信号を受信した後、所定時間経過したか否か判断し、所定時間経過するとステップ７８に進み、所定時間経過しないとステップ７６に戻る。
【００１６】
ステップ７１において、センサ装置１の送信制御回路２２がセット状態でないと判断したとき、ステップ８０に進み、センサ装置１からの無線信号により受信制御回路３７はクレセント錠１０が開放されているか否か判断する。クレセント錠１０が開放されていると、ステップ８１では発光素子３０により開放を表示した後、ステップ７１に戻る。ステップ８０においてクレセント錠１０が閉鎖されていると、ステップ８２において発光素子３０により閉鎖を表示した後ステップ７１に戻る。ステップ７２において送信制御回路２２がクレセント錠１０が閉鎖されていると判断し、ステップ７９に進む。ステップ７９において、送信制御回路２２は衝撃センサ１７からの信号を受信したか否か判断し、衝撃センサ１７がオンとなったとき、送信制御回路２２は固有コードを含む信号を送信駆動回路１９に送り、アンテナ２０から無線信号を送出し、その後ステップ７４〜７８に進む。
【００１７】
前記のように、複数のセンサ装置１の各々は異なる時間間隔でコード信号を含む同一周波数の無線信号を送信し、警報制御装置２は各センサ装置１からの無線信号を異なるタイミングで受信する。
【００１８】
この発明の実施の形態は前記の形態に限定されず、変更が可能である。例えば、前記実施形態では、クレセント錠１０が施錠時にリードスイッチ１８がオンとなり解錠時にリードスイッチ１８がオフとなる例を示したが、逆にクレセント錠１０が施錠時にリードスイッチ１８がオフとなり解錠時にオンとなるように構成してもよい。センサ素子として衝撃センサ１７及びロック装置の解錠を検出するリードスイッチ１８の外に、開閉部の開放を検出するセンサ素子、ホール素子等の近接センサ、人の接近を検出する赤外線センサ等他のセンサ素子を使用することができる。
【００１９】
【発明の効果】
この発明では、各センサ装置は異なる時間間隔で固有コードを含む同一周波数の無線信号を送信し、警報制御装置は各センサ装置からの無線信号を異なるタイミングで受信するため、各センサ装置の無線信号を確実に受信することができる。
【図面の簡単な説明】
【図１】  この発明によるロック操作検知装置を設置した住宅の概略図
【図２】  この発明のロック操作検知装置に使用するセンサ装置の正面図
【図３】  この発明のロック操作検知装置に使用するセンサ装置の側面図
【図４】  この発明のロック操作検知装置に使用する警報制御装置の正面図
【図５】  警報制御装置の側面図
【図６】  センサ装置のブロック回路図
【図７】  警報制御装置のブロック回路図
【図８】  センサ装置の動作シーケンスを示すフローチャート
【図９】  警報制御装置の動作シーケンスを示すフローチャート
【符号の説明】
１・・センサ装置、  ２・・警報制御装置、  １０・・クレセント錠、  １１・・ロック送信装置、  １４・・レバー部、  １５・・磁石、  １６・・電池、１７・・衝撃センサ、  １８・・リードスイッチ、  １９・・送信駆動回路、２０・・アンテナ、  ２２・・送信制御回路、  ２３・・設定スイッチ、  ３０・・発光素子、  ３２・・手動セット／リセットボタン、  ３４・・アラーム、  ３５・・アンテナ、  ３６・・受信駆動回路、  ３７・・受信制御回路、  ３８・・外部通報手段
【図１】
0003821505.tif 000002
【図２】
0003821505.tif 000003
【図３】
0003821505.tif 000004
【図４】
0003821505.tif 000005
【図５】
0003821505.tif 000006
【図６】
0003821505.tif 000007
【図７】
0003821505.tif 000008
【図８】
0003821505.tif 000009
【図９】
0003821505.tif 000010